(57)【要約】【課題】安価で簡単な構造であるとともに、背面や側面を合わせるように配置された、隣り合う２つの机に対する取り付け及び取り外しが容易であって、物品やケーブル類を効率よく収納して机上や足元のスペースを有効に活用することが可能なケーブル収納用トレイを提供する。【解決手段】ケーブル収納用トレイ１ａは、長手方向の両端部に切欠き状のケーブル排出口５ａ，５ａが設けられた底板４ａと、この底板４ａの両端にそれぞれ立設される一対の側板４ｂ，４ｂと、底板４ａに対して平行をなすように側板４ｂ，４ｂの端縁から外側に向かってそれぞれ延設される縁板６，６とからなるトレイ本体２ａと、側板４ｂ，４ｂを挟んで底板４ａに対向配置されるとともに両端部に切欠き状のケーブル挿入口５ｂが設けられた天板３とを備えている。【選択図】図１
2010136935.tif 000002
【特許請求の範囲】
【請求項１】
隣り合う机間に設置されるケーブル収納用トレイであって、
底板と，この底板の両端にそれぞれ立設される一対の側板と，この側板の端縁から外側に向かって前記底板に対して平行に延設され，前記机の上面に載置される一対の縁板と，からなるトレイ本体と、ケーブル挿入口を有するとともに前記側板を挟んで前記底板に対向配置される天板と、を備え、この天板の幅は前記一対の側板の間隔以上であることを特徴とするケーブル収納用トレイ。
【請求項２】
前記ケーブル挿入口は、切欠き状に形成されることを特徴とする請求項１記載のケーブル収納用トレイ。
【請求項３】
前記底板は、ケーブル排出口を有することを特徴とする請求項１又は請求項２に記載のケーブル収納用トレイ。
【請求項４】
前記天板は、前記トレイ本体に対する当接面側に凸状部が設けられており、この凸状部は、前記縁板に対して係止可能に形成されたことを特徴とする請求項１乃至請求項３のいずれか１項に記載のケーブル収納用トレイ。
【発明の詳細な説明】
【技術分野】
【０００１】
本発明は、背中合わせに配置された２つの机の間に設置されるケーブル収納用トレイに係り、特に、簡単な構造でありながらケーブル類を効率よく収納できるケーブル収納用トレイに関する。
【背景技術】
【０００２】
通常、オフィスの机には電話やコンピュータあるいはその周辺機器等が設置されている。そして、それらの機器に接続される多数の通信用ケーブルや電源コード等（以下、ケーブル類という。）は、一般にフロアの上に無秩序に置かれている場合が多い。また、机の上のスペースを少しでも広くするために、足元に各種の物品が仮置きされることもある。しかしながら、フロア上に無秩序に置かれたケーブル類は絡み合い易く、断線や発熱等を引き起こす原因となる。また、フロアに置かれたケーブル類や物品類はオフィスの美観を損ねるだけでなく、荷物を運搬したり、歩行したりする際の障害となるおそれがある。そこで、これら各種の物品やケーブル類を効率よく収納する方法について、従来、提案が行われており、それに関して既にいくつかの発明や考案が開示されている。
【０００３】
例えば、特許文献１には、「デスク用配線ボックス装置」という名称で、フロア上に配列設置してデスク上の電気機器への配線を収納する装置に関する発明が開示されている。
特許文献１に開示された発明は、上面及び側端面部にコード類の挿通孔が設けられるとともに下面が開放され、内部に少なくとも１つのコンセント類載置用のトレイが位置可変に設置される配線ボックスを備え、この配線ボックスがデスクの前部にそって一列状に配設自在に取り付けられる脚を有し、デスクの上面と略同一レベルの高さに設置されることを特徴としている。
このような構成によれば、オフィス等の模様替えに際し、ＯＡ機器を使用するデスクと使用しないデスクが混在しても統一のとれたレイアウトとすることができる。
【０００４】
特許文献２には、「机の後部に配設される補助ボックス、及びそれと机との連結装置」という名称で、机の上のスペースを広くするとともに執務部品を配置する際の利便性を高めることが可能な補助ボックスに関する発明が開示されている。
特許文献２に開示された発明である補助ボックスは、内面を対向させて配置される一対の側板と、この側板同士を連結する連結枠と、床面に当接するように側板の下端部に設けられる脚部とを備え、側板の前面及び後面に机等から突出する支持具を係止する係止孔が穿設された構造となっている。
このような構造の補助ボックスにおいては、床面上に自立させた状態で机に簡単かつ確実に結合させることができる。
【０００５】
特許文献３には、既存の机の背面板に取り付けてパーソナルコンピュータや電話の信号ケーブル等を整理する「ケーブル収納ボックス」に関する発明が開示されている。
特許文献３に開示された発明は、前面が開放されるとともに、机の背面板に固定手段を介して着脱自在に取り付けられる本体部と、この本体部の前面を閉塞する蓋体と、蓋体を外した状態で前面側が開放されるように、蓋体及び本体部によって構成される筐体の上面及び下面に形成されるケーブルの導入口と、筐体の内部後面に設けられた複数のケーブル支持突起物とを備えた構造となっている。
このような構造の「ケーブル収納ボックス」においては、一般の事務机に対して容易に取り付けることができる。また、ケーブル収納ボックスを使用しない場合には速やかに取り外して、机を元の状態に戻すことができる。
【特許文献１】特開平８−１４０７４７号公報
【特許文献２】特開平８−１９６３４８号公報
【特許文献３】特開平８−３６４号公報
【発明の開示】
【発明が解決しようとする課題】
【０００６】
上述の従来技術である特許文献１に開示された発明においては、自立可能な構造とする必要があるため、製造コストが高くなるおそれがあった。また、机の周囲を掃除する際に、２つの机の間に配置される４本の脚が邪魔になるという課題があった。
【０００７】
また、特許文献２に開示された発明においては、自立させるとともに机に係止させる必要があることから、構造が複雑になり、製造コストがアップしてしまうという課題があった。また、脚部が側板の下端部から床面に当接するように設けられているため、足元のスペースを有効に活用できないという課題があった。
【０００８】
特許文献３に開示された発明においては、２つの机の間に設置した場合、取り外しが容易でないという課題があった。また、収納するケーブルを入れ替えたり、追加したりする場合には、机から取り外さなければならないという課題があった。
【０００９】
本発明はかかる従来の事情に対処してなされたものであり、安価で簡単な構造であるとともに、机に対する取り付け及び取り外しが容易であって、物品やケーブル類を効率よく収納して机上や足元のスペースを有効に活用することが可能なケーブル収納用トレイを提供することを目的とする。
【課題を解決するための手段】
【００１０】
上記目的を達成するため、請求項１記載の発明であるケーブル収納用トレイは、隣り合う机間に設置されるケーブル収納用トレイであって、底板と，この底板の両端にそれぞれ立設される一対の側板と，この側板の端縁から外側に向かって底板に対して平行に延設され，机の上面に載置される一対の縁板と，からなるトレイ本体と、ケーブル挿入口を有するとともに側板を挟んで底板に対向配置される天板と、を備え、この天板の幅は一対の側板の間隔以上であることを特徴とするものである。
このような構造によれば、背面や側面を合わせるように配置された２つの机の間にケーブル収納用トレイを取り付ける際に、一対の縁板が２つの机の各天板の上面にそれぞれ載置された状態でトレイ本体を支持するという作用を有する。また、トレイ本体の開口部を覆う蓋として機能するケーブル収納用トレイの天板によって、机上の利用可能スペースが拡大する。さらに、トレイ本体は、机の背面側あるいは側面側においてケーブル類を所定の高さに保持しつつ、机の両脇まで案内するという作用を有する。これにより、机の背面側あるいは側面側においてフロアにケーブル類が散乱するという事態が防止される。
【００１１】
また、請求項２に記載の発明は、請求項１記載のケーブル収納用トレイにおいて、ケーブル挿入口は切欠き状に形成されることを特徴とするものである。
上記構成のケーブル収納用トレイにおいては、ケーブル類が機器等に接続された状態であっても抜き差しをする際の障害にならない。また、ケーブル挿入口の加工が容易である。
【００１２】
請求項３に記載の発明は、請求項１又は請求項２に記載のケーブル収納用トレイにおいて、底板はケーブル排出口を有することを特徴とするものである。
このような構造のケーブル収納用トレイにおいては、トレイ本体から排出されるケーブル類がケーブル排出口を通る際に一纏めにされて、整然と排出するという作用を有する。
【００１３】
請求項４に記載の発明は、請求項１乃至請求項３のいずれか１項に記載のケーブル収納用トレイにおいて、天板は、トレイ本体に対する当接面側に凸状部が設けられており、この凸状部は、縁板に対して係止可能に形成されたことを特徴とするものである。
このような構造のケーブル収納用トレイにおいては、凸状部が縁板に係止されることによってトレイ本体の幅方向に対する天板のずれが阻止されるという作用を有する。
【発明の効果】
【００１４】
本発明の請求項１に記載のケーブル収納用トレイにおいては、トレイ本体や天板の構造が簡単であるため、製造コストを安くすることが可能である。また、背面や側面を合わせるように配置された２つの机に対して、容易に取り付け及び取り外しを行うことができる。さらに、トレイ本体の内部にケーブル類や各種物品を効率よく収納できるとともに、ケーブル収納用トレイの天板を机の天板と同様に使用できるため、机上や机間の天板下のスペース、あるいは足元のスペースを有効に活用することが可能である。
【００１５】
本発明の請求項２に記載のケーブル収納用トレイにおいては、ケーブル類を機器等に接続したままでケーブル挿入口に対して抜き差しできるため、トレイ本体や天板の取り付け作業が容易である。また、ケーブル挿入口の加工が容易なため、製造コストを安くすることができる。  
【００１６】
本発明の請求項３に記載のケーブル収納用トレイにおいては、フロア上に置かれたケーブル類を効率よくケーブル収納用トレイから排出しながら整理することができる。
【００１７】
本発明の請求項４に記載のケーブル収納用トレイにおいては、天板がずれ難いため、使用時の美観を維持することができると同時に机周囲の安全性を高めることができる。
【発明を実施するための最良の形態】
【００１８】
以下に、本発明の最良の実施の形態に係るケーブル収納用トレイの実施例について図１乃至図６を用いて説明する。
【実施例１】
【００１９】
図１は本発明の実施の形態に係るケーブル収納用トレイの実施例１の外観斜視図であり、ケーブル収納用トレイを机に取り付けた状態を示している。図２は実施例１のケーブル収納用トレイの構成を示す斜視図である。図３（ａ）及び（ｂ）はそれぞれ実施例１のケーブル収納用トレイの平面図及び底面図である。また、図４（ａ）及び（ｂ）はそれぞれ実施例１のケーブル収納用トレイの正面図及び側面図である。
図１乃至図４に示すように、本実施例のケーブル収納用トレイ１ａは背面や側面を合わせるように配置された、隣り合う机８，８の間に設置されて使用されるものであり、トレイ本体２ａと天板３とを備えている。また、机８はオフィス等で一般的に用いられる事務用の机であり、矩形状の天板８ａと脚部８ｂなどから構成される。
【００２０】
トレイ本体２ａは、底板４ａと、この底板４ａの両端にそれぞれ立設される一対の側板４ｂ，４ｂと、この側板４ｂ，４ｂの端縁から外側に向かって底板４ａに対して平行にそれぞれ延設される縁板６，６とを備えている。また、底板４ａの長手方向（図１のＸ軸方向）の両端部には、切欠き状のケーブル排出口５ａ，５ａが形成されている。
トレイ本体２ａは、スチール製の矩形状の平板材を略直角に折り曲げることによって形成される。従って、底板４ａと側板４ｂ，４ｂと縁板６，６はいずれも矩形状をなしている。なお、これらの部材は必ずしもすべてが矩形状である必要はなく、その形状は適宜変更可能である。例えば、オフィスのレイアウトの都合などにより、机８，８を平行に設置できない場合には、底板４ａは台形状の方が好ましい。また、底板４ａと側板４ｂ，４ｂと縁板６，６の材質は、スチールに限らず、例えば、アルミニウム等の軽金属やプラスチックであっても良い。さらに、トレイ本体２ａを一枚の平板で形成する代わりに、底板４ａと側板４ｂ，４ｂと縁板６，６のうちの少なくともいずれかを別部材とすることもできる。
側板４ｂ，４ｂを挟んで底板４ａに対向配置される天板３はトレイ本体２ａの側板４ｂ，４ｂの間隔以上の幅を有するスチール製の矩形平板材からなり、幅方向（図１のＹ軸方向）の両端部には切欠き状のケーブル挿入口５ｂが設けられている。なお、天板３の形状は本実施例に示す場合に限定されない。すなわち、矩形以外の形状であっても良い。また、天板３は必ずしもスチール製でなくともよく、例えば、アルミニウム等の軽金属製あるいはプラスチック製であっても良い。なお、本願明細書において底板４ａと側板４ｂ，４ｂと縁板６，６と天板３について使用される「矩形状」という表現には、「略矩形状」の場合も含まれるものとする。
【００２１】
天板８ａ同士の間隔が底板４ａの幅よりも広く、かつ、縁板６，６を含めたトレイ本体２ａの幅Ｌよりも狭くなるように、背面や側面を合わせるように配置された、隣り合う机８，８の間に、底面４ａを下に向けた状態でトレイ本体２ａを設置した場合、上記構造のケーブル収納用トレイ１ａにおいては、天板８ａ，８ａに載置された縁板６，６によってトレイ本体２ａが支持されるという作用を有する。また、天板３は、トレイ本体２ａの開口部４ｃを覆う蓋として作用する。このとき、天板３は、机８の天板８ａと略等しい高さに設置されるため、天板８ａと同様の使い方をすることができる。すなわち、天板３により机上の利用可能スペースが拡大する。
また、机８の上に置かれた各種電子機器のケーブル類は天板３のケーブル挿入口５ｂからトレイ本体２ａの内部に挿入された後、開口部４ｄから排出されてフロア上に配置される。すなわち、トレイ本体２ａは、机８の背面側あるいは側面側においてケーブル類を所定の高さに保持しつつ、机８の両脇まで案内するという作用を有する。これにより、机８の背面側あるいは側面側においてフロアにケーブル類が散乱するという事態が防止される。さらに、ケーブル挿入口５ｂはトレイ本体２ａの内部に挿入するケーブル類を一纏めにして、トレイ本体２ａの内部に導くという作用を有する。この場合、ケーブル類によって邪魔されることなく、天板３の上面のスペースを利用することができる。また、開口部４ｄから排出されるケーブル類はケーブル排出口５ａに通すことにより、一纏めにされて整然と排出される。これにより、フロア上に置かれたケーブル類を効率よく整理することができる。なお、ケーブル排出口５ａ及びケーブル挿入口５ｂはいずれも切欠き状に形成されているため、ケーブル類が機器等に接続された状態であっても抜き差しをする際の障害にならない。加えて、加工が容易である。
【００２２】
以上説明したように、本実施例のケーブル収納用トレイ１ａにおいては、トレイ本体２ａや天板３の構造が簡単であり、また、ケーブル排出口５ａ及びケーブル挿入口５ｂの加工が容易なため、製造コストを安くすることが可能である。さらに、ケーブル収納用トレイ１ａを背面や側面を合わせるように配置された、隣り合う２つの机８，８に対して取り付ける場合、２枚の縁板６，６が机８，８の天板８ａ，８ａのそれぞれの上面に載置されるように、机８，８の間にトレイ本体２ａを配置するだけでよい。すなわち、ケーブル収納用トレイ１ａにおいては、机８，８に対して取り付け及び取り外しを容易に行うことができる。さらに、トレイ本体２ａの内部にはケーブル類や各種物品を効率よく収納することが可能であり、天板３は机８の天板８ａと同様の使い方をすることができる。これにより、机上や机間の天板下のスペース、あるいは足元のスペースを有効に活用することが可能となる。さらに、ケーブル類を機器等に接続したままでケーブル排出口５ａ及びケーブル挿入口５ｂに対して抜き差しできるため、トレイ本体２ａや天板３の取り付け作業が容易である。
【００２３】
なお、本発明のケーブル収納用トレイは、本実施例に示す場合に限定されるものではない。例えば、ケーブル排出口５ａ及びケーブル挿入口５ｂの設置箇所や個数は本実施例に示したものに限らず、適宜変更可能である。また、ケーブル排出口５ａ及びケーブル挿入口５ｂを切欠き状にせずに、孔形状にすることもできる。
【実施例２】
【００２４】
図５（ａ）及び（ｂ）はそれぞれ本発明の実施の形態に係るケーブル収納用トレイの実施例２の天板の平面図及び側面図であり、（ｃ）は実施例２のケーブル収納用トレイの側面図である。なお、図５（ｂ）及び（ｃ）では、天板に設けられた突起部とトレイ本体との位置関係が明確になるように、天板とトレイ本体の厚さが実際の場合（図４（ｂ）参照）よりも厚く示されている。また、図１乃至図４に示した構成要素については、同一の符号を付してその説明を省略する。
図５（ａ）及び（ｂ）に示すように、本実施例のケーブル収納用トレイ１ｂは実施例１のケーブル収納用トレイ１ａの天板３において、トレイ本体２ｂに対する当接面側の両端縁近傍に縁板６，６に係止可能に形成された凸状部７，７が設けられたことを特徴とする。なお、図５（ｃ）に示すように、凸状部７，７の間隔は、縁板６，６を含めたトレイ本体２ｂの幅Ｌよりも広く設定されている。
このような構造によれば、天板３を用いてトレイ本体２ｂの開口部４ｃを覆った際に、凸状部７，７が縁板６，６に係止することにより、天板３のトレイ本体２ｂの幅方向（図１のＹ軸方向）への移動が阻止される。このように、本実施例のケーブル収納用トレイ１ｂにおいては、トレイ本体２ｂの幅方向に対して天板３がずれないため、使用時の美観を維持することができると同時に机周囲の安全性を高めることができる。
【００２５】
なお、凸状部７は天板３と同一部材であっても良いし、別部材であっても良い。例えば、ゴムなどの弾性部材を天板３に張り付けて凸状部７を形成しても良い。この場合、机８の天板８ａと凸状部７との間に大きな摩擦力が発生するため、凸状部７が縁板６に係止していない状態でも天板３のずれを確実に防ぐことができる。また、天板３の端縁を折り曲げて凸状部７を形成することもできる。さらに、図５では，凸状部７が天板３の端縁に沿って細長く形成されているが、凸状部７の形状や個数は図５に示す場合に限定されるものではなく、適宜変更可能である。
【実施例３】
【００２６】
図６は本発明の実施の形態に係るケーブル収納用トレイの実施例３の側面図である。なお、図６は実施例１の図４（ｂ）あるいは実施例２の図５（ｃ）に対応するものであるが、便宜上、拡大して示されている。また、図１乃至図５に示した構成要素については、同一の符号を付してその説明を省略する。
図６に示すように、本実施例のケーブル収納用トレイ１ｃは実施例１のケーブル収納用トレイ１ａにおいて、机８の天板８ａの端部を挿設可能に形成される凹状部４ｅ，４ｅがトレイ本体２ｃの側板４ｂ，４ｂの上部に設けられたことを特徴とする。
このような構造によれば、机８に対してトレイ本体２ｃが確実に固定されるため、使用時の安全性が向上する。また、トレイ本体２ｃは机８の天板８ａの下に側板４ｂが張り出すように形成されるため、実施例１や実施例２の場合よりもケーブルを収納可能な空間が増えることになる。すなわち、本実施例のケーブル収納用トレイ１ｃにおいては、机８の天板８ａの下のスペースを有効活用することが可能である。
【産業上の利用可能性】
【００２７】
本発明の請求項１乃至請求項４に記載された発明は、オフィスに限らず、工場等の作業現場において背面や側面を合わせるように配置された、隣り合う２台の机の間に設置してケーブル類や各種物品を収納する場合に適用可能である。
【図面の簡単な説明】
【００２８】
【図１】本発明の実施の形態に係るケーブル収納用トレイの実施例１の外観斜視図である。
【図２】実施例１のケーブル収納用トレイの構成を示す斜視図である。
【図３】（ａ）及び（ｂ）はそれぞれ実施例１のケーブル収納用トレイの平面図及び底面図である。
【図４】（ａ）及び（ｂ）はそれぞれ実施例１のケーブル収納用トレイの正面図及び側面図である。
【図５】（ａ）及び（ｂ）はそれぞれ本発明の実施の形態に係るケーブル収納用トレイの実施例２の天板の平面図及び側面図であり、（ｃ）は実施例２のケーブル収納用トレイの変形例の側面図である。
【図６】本発明の実施の形態に係るケーブル収納用トレイの実施例３の側面図である。
【符号の説明】
【００２９】
１ａ〜１ｃ…ケーブル収納用トレイ  ２ａ〜２ｃ…トレイ本体  ３…天板  ４ａ…底板  ４ｂ…側板  ４ｃ，４ｄ…開口部  ４ｅ…凹状部  ５ａ…ケーブル排出口  ５ｂ…ケーブル挿入口  ６…縁板  ７…凸状部  ８…机  ８ａ…天板  ８ｂ…脚部
【図１】
2010136935.tif 000003
【図２】
2010136935.tif 000004
【図３】
2010136935.tif 000005
【図４】
2010136935.tif 000006
【図５】
2010136935.tif 000007
【図６】
2010136935.tif 000008